(57)【要約】【課題】  左右の上腕または手首に装着して血圧値を測定する血圧計で、左右の上腕または手首で測定された血圧を対応付けて、記憶し、表示することができる血圧計を提供する。【解決手段】  一定の外周長さを有し、被測定者の上腕または手首に装着されるカフ形状の装着部（３ａ）、前記装着部内を加圧する加圧手段（Ｐ）、制御手段（１３）、前記装着部内の圧力を検出する圧力センサ（１０）、前記装着部内の圧力を減圧する減圧手段（８）、血圧値を測定する測定手段（１３）、測定した血圧値を表示する表示部（６）、機能スイッチ（１１）、前記血圧値を記憶する記憶部を備えた血圧計（１）であって、前記機能スイッチ（１１）により、所定時間内に測定された２つの血圧値を左右の上腕または手首の血圧値及び血圧差として前記記憶部（１３ａ）に記憶し、前記表示部（６）に表示する。【選択図】  図４
2013215323.tif 000002
【特許請求の範囲】
【請求項１】
被測定者の上腕または手首に装着されるカフ形状の装着部、前記装着部内を加圧する加圧手段、制御手段、前記装着部内の圧力を検出する圧力センサ、前記装着部内の圧力を減圧する減圧手段、血圧値を測定する測定手段、測定した血圧値を表示する表示部、機能スイッチ、前記血圧値を記憶する記憶部を備えた血圧計であって、
前記機能スイッチにより、所定時間内に測定された2つの血圧値を左右の上腕または左右の手首の血圧値及び血圧差として前記記憶部に記憶することを特徴とする血圧計。
【請求項２】
前記左右の血圧値及び前記血圧差を前記表示部にトレンド表示するように前記制御部で制御することを特徴とする請求項１に記載の血圧計。
【請求項３】
前記血圧差が１０ｍｍＨｇ以上でアラームを発生することを特徴とする請求項１または請求項２に記載の血圧計。
【請求項４】
被測定者の上腕または手首に装着されるカフ形状の装着部、前記装着部内を加圧する加圧手段、制御手段、前記装着部内の圧力を検出する圧力センサ、前記装着部内の圧力を減圧する減圧手段、血圧値を測定する測定手段、測定した血圧値を表示する表示部、機能スイッチ、前記血圧値を記憶する記憶部を備えた血圧計であって、
前記血圧計は、左右の上腕または左右の手首のどちらの血圧値であるのかを自動で判定する判定手段を備え、前記測定手段で測定した血圧値と前記判定手段で判定した測定部位とを紐付けて前記記憶部に記憶することを特徴とする血圧計。
【請求項５】
前記機能スイッチは、複数の機能スイッチであることを特徴とする請求項４に記載の血圧計。
【請求項６】
前記機能スイッチは、前記装着部の長手方向中心に対して、対称な位置に複数配されていることを特徴とする請求項４または請求項５に記載の血圧計。
【請求項７】
前記左右の血圧値及び前記血圧差を前記表示部にトレンド表示するように前記制御部で制御することを特徴とする請求項４乃至請求項６に記載の血圧計。
【請求項８】
前記血圧差が１０ｍｍＨｇ以上でアラームを発生することを特徴とする請求項４乃至請求項７に記載の血圧計。
【発明の詳細な説明】
【技術分野】
【０００１】
本発明は、手首または上腕にカフを装着して血圧を測定する血圧計に関するものである。
【背景技術】
【０００２】
手首血圧計は、血圧値を測定するための測定手段と、測定手段にて測定された血圧値の測定結果を表示可能な表示部とを備える。そして、このような手首血圧計は、冬季などで、腕まくりをして血圧測定する必要がなく、取り扱いが簡便なために、家庭用血圧計として広く普及している。
【先行技術文献】
【特許文献】
【０００３】
【特許文献１】特開２００７−５４６４８号公報
【発明の概要】
【発明が解決しようとする課題】
【０００４】
ところで、欧州高血圧学会から、治療を受けている高血圧の人で上腕血圧の左右差が１０または１５以上ある人は心臓疾患，脳疾患のリスクがあるとの報告がある。このため、左右の両方の上腕で血圧測定することが推奨される。
【０００５】
本発明は、上記課題を解決するためになされたものであって、その目的は、左右の手首または左右の上腕で測定された血圧を対応付けて、記憶し、表示することができる血圧計を提供することにある。
【課題を解決するための手段】
【０００６】
上記課題を解決するために、カフ部、加圧手段、制御手段、前記カフ部内の圧力を検出する圧力センサ、前記カフ部内の圧力を減圧する減圧手段、測定した血圧値を表示する表示部、機能スイッチ、前記血圧値を記憶する記憶部、制御部を備えた手首血圧計であって、測定者の測定状態を検出するための検出手段と、前記検出手段にて検出された第１の測定状態と第２の測定状態とを記憶する記憶部を有し、前記制御部で、前記第１の測定状態で測定された収縮期血圧値と前記第２の測定状態で測定された収縮期血圧値とを関連付けて前記記憶部に記憶し、その血圧差が所定以上と判断された場合、アラームを発生することを特徴とする。
また、上記課題を解決するために、被測定者の上腕または手首に装着されるカフ形状の装着部、前記装着部内を加圧する加圧手段、制御手段、前記装着部内の圧力を検出する圧力センサ、前記装着部内の圧力を減圧する減圧手段、血圧値を測定する測定手段、測定した血圧値を表示する表示部、機能スイッチ、前記血圧値を記憶する記憶部を備えた血圧計であって、前記血圧計は、左右の上腕または左右の手首のどちらの血圧値であるのかを自動で判断する判断手段を備え、前記測定手段で測定した血圧値と前記判定手段で判定した測定部位とを紐付けて前記記憶部に記憶することを特徴とする。
【発明の効果】
【０００７】
本発明によれば、測定者自身による取扱いが簡単で、左右の収縮期血圧を容易に測定でき、その収縮期血圧の血圧差が所定以上の場合に、測定者にアラームを発生することができる。
【図面の簡単な説明】
【０００８】
【図１】本発明の血圧計の実施形態を示す外観斜視図である。
【図２】本発明の血圧計の実施形態のブロック図である。
【図３】本発明の血圧計の実施形態の表示部，各種スイッチを示す図である。
【図４】本発明の血圧計の実施形態のフローチャートである。
【図５】本発明の血圧計を左手首に装着した時の使用状態を示す図である。
【発明を実施するための形態】
【０００９】
以下、本発明を具体化した一実施の形態を、手首血圧計を例にして、図１〜図５に従って説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１に示すように、本実施の形態の手首血圧計１は、測定者の手首（図５参照）に装着され、その内部に阻血用のカフ３を含むカフ形状の装着部３ａと、カフ形状の装着部３ａに取り付けられた本体４とを備える。カフ３には、フック型面ファスナー（不図示）とループ型面ファスナー（不図示）が備えられ、測定者の手首に確実に装着できるようになっている。
【００１０】
本体４は、図１及び図２に示すように、各種情報を表示するための液晶などの表示部６、駆動電源である、例えば、単３形アルカリ乾電池(２本)７、カフ帯３内を減圧するための減圧手段としての排気弁8、手首血圧計１の手首への装着状態（測定者の測定状態）を検出するための検出手段としての姿勢センサ９、カフ帯３内の圧力及び脈波を測定する圧力センサ１０、各種の操作を行なうために好ましくは複数個も受けられた機能スイッチとしての操作部(操作スイッチ)１１、カフ帯３を加圧するポンプＰ、制御部（ＣＰＵ）１３を備える。また、複数の操作部１１は、本体４の長手方向（Ｘ−Ｘ方向）を中心に対して、対称な位置に複数配されている。
【００１１】
制御部（ＣＰＵ）１３は、手首血圧計１の各種動作の制御・判断を行ない、ＣＰＵとＣＰＵにより実行される装置全体の制御プログラムや各種データを記憶するＲＯＭとワークエリアとして測定データや各種データを一時的に記憶するＲＡＭなどを備えていて、得られたカフ圧，脈波から収縮期血圧(最高血圧)，拡張期血圧(最低血圧)を演算する。
【００１２】
前記セグメント液晶パネル６は、図３に示すように、本体４の表面（カフ３が取り付けられる側の反対側であって、測定者が見やすい正面）に設けられ、測定された血圧値の測定結果を数字で表示可能な表示部６を有している。液晶パネルからなる表示部６は、好ましくはカラーの液晶や有機ＥＬで形成される。
【００１３】
傾き角検出センサ９は、本体４の内部の適所に設けられ、測定者の手首に装着された血圧計１の測定状態の傾き角(姿勢)を検出するための検出手段である。
本実施の形態では、好ましくは、３軸加速度（角度）センサを含み、測定者が左右どちらの手首で測定しているかを自動で判断する。
図１において、便宜上、Ｘ−Ｘ方向は血圧計１の垂直方向、Ｙ−Ｙ方向は血圧計１の横(水平)方向、Ｚ−Ｚ方向は血圧計１の前後方向とする。
【００１４】
メモリ１３ａは、種々のデータを記憶するものである。その１つとして、傾き角検出センサ９で検出された、測定者の左側の手首に血圧計１が装着された時の傾き角（姿勢）である、Ｘ−Ｘ方向の傾き角、Ｙ−Ｙ方向の傾き角、Ｚ−Ｚ方向の傾き角は、制御部（ＣＰＵ）１３で自動で第１の測定状態の傾き角と判断され、メモリ１３ａに記憶される。
また、傾き角検出センサ９で検出された、測定者の右側の手首に血圧計１が装着された時の傾き角（姿勢）である、Ｘ−Ｘ方向の傾き角、Ｙ−Ｙ方向の傾き角、Ｚ−Ｚ方向の傾き角は、制御部（ＣＰＵ）１３により、自動で第２の測定状態の傾き角と判断され、メモリ１３ａに記憶される。
【００１５】
例えば、図５に示すように、測定者が手首血圧計１の表示部６を手前に向けた状態で、フック型面ファスナー（不図示）とループ型面ファスナー（不図示）が係合するようにし、手首血圧計１の本体４の上部４ａが、測定者からみて右側に傾いた状態になって左手首に装着された後、血圧測定を行う状態になった時、この状態の時のＸ−Ｘ方向の傾き角、Ｙ−Ｙ方向の傾き角、Ｚ−Ｚ方向の傾き角を、第1の測定状態（図５参照）として傾き角検出センサ９が検出するようにしている。
【００１６】
測定者が手首血圧計１の表示部６を手前に向けた状態で、フック型面ファスナー（不図示）とループ型面ファスナー（不図示）が係合するようにし、手首血圧計１の本体４の上部４ａが、測定者からみて左側に傾いた状態になって右手首に装着された後、血圧測定を行う状態になった時、この状態の時のＸ−Ｘ方向の傾き角、Ｙ−Ｙ方向の傾き角、Ｚ−Ｚ方向の傾き角を、第２の測定状態として傾き角検出センサ９が検出するようにしている。
なお、右手首に手首血圧計１が装着された状態を第２の測定状態、右手首に手首血圧計１が装着された状態を第１の測定状態としてもよい。
【００１７】
次に、本実施の形態の手首血圧計１の各種使用方法や動作について図４のフローチャートに従って説明する。
【００１８】
測定者が左手首（図５参照）の位置を心臓の高さに一致させた状態で、手首血圧計１の操作部１１としての開始・終了スイッチ１１を操作した後、機能スイッチであるモードスイッチ１１ａを押して左右の血圧測定モードを選択する（ステップＳ１：例えば所定秒以上、例えば２秒間押し続ける）と、制御部１３は、傾き角検出センサ９にて検出された手首血圧計１の傾き角（Ｘ−Ｘ方向の傾き角、Ｙ−Ｙ方向の傾き角、Ｚ−Ｚ方向の傾き角）に基づいた値を第１の測定状態（例えば左手首に手首血圧計１のカフ帯３が装着された状態）と判断（ステップＳ２）し、メモリ１３ａに記憶する。
【００１９】
次に、制御部１３の制御により、ポンプＰを駆動させて、圧力センサ１０で検出されるカフ帯３内の圧力に基づいてカフ帯３内を所定値まで加圧する（ステップＳ３）。次に、制御部１３の制御により、ポンプＰを停止させた後、排気弁８を制御して、カフ帯３内の圧力を所定の減圧速度(例えば４ｍｍＨｇ／秒)で減圧（ステップＳ４）し、得られたカフ圧，脈波から収縮期血圧(最高血圧)，拡張期血圧(最低血圧)，脈拍を演算し、メモリ１３ａに、第１の測定状態で得られた収縮期血圧(最高血圧)，拡張期血圧(最低血圧)，脈拍として記憶（ステップＳ５）し、待機モードになる（ステップＳ６）。
【００２０】
所定時間(例えば２分)後、測定者が右手首（不図示）の位置を心臓の高さに一致させた状態で、操作部(操作スイッチ)である開始・終了スイッチ１１を押圧操作する（ステップＳ７）と、制御部１３は、傾き角検出センサ９にて検出された手首血圧計１の傾き角（Ｘ−Ｘ方向の傾き角、Ｙ−Ｙ方向の傾き角、Ｚ−Ｚ方向の傾き角）に基づいた値を第２の測定状態（例えば右手首に手首血圧計１のカフ帯３が装着された状態）と判断（ステップＳ８）し、メモリ１３ａに記憶する。次に、制御部１３の制御により、ポンプＰを駆動させて、圧力センサ１０で検出されるカフ帯３内の圧力に基づいてカフ帯３内を所定値まで加圧する（ステップＳ９）。
【００２１】
次に、制御部１３の制御により、ポンプＰを停止させた後、排気弁８を制御して、カフ帯３内の圧力を所定の減圧速度(例えば４ｍｍＨｇ／秒)で減圧（ステップＳ１０）し、得られたカフ圧，脈波から収縮期血圧(最高血圧)，拡張期血圧(最低血圧)，脈拍を演算（いわゆるオシロメトリック式）し、メモリ１３ａに、第２の測定状態で得られた収縮期血圧(最高血圧)，拡張期血圧(最低血圧)，脈拍として、第１の測定状態で得られた収縮期血圧(最高血圧)，拡張期血圧(最低血圧)，脈拍と１対１に対応付けて記憶する（ステップＳ１１）。
【００２２】
１対１に対応付けて記憶された第１の測定状態で得られた収縮期血圧(最高血圧)，拡張期血圧(最低血圧)，第２の測定状態で得られた収縮期血圧(最高血圧)，拡張期血圧(最低血圧)、１対１に対応付けて記憶された第１の測定状態で得られた収縮期血圧(最高血圧)と第２の測定状態で得られた収縮期血圧(最高血圧)との差を表示部に併せて表示する（ステップＳ１２）。
【００２３】
制御部１３は、１対１に対応付けて記憶された第１の測定状態で得られた収縮期血圧(最高血圧)と第２の測定状態で得られた収縮期血圧(最高血圧)との差が所定(例えば、１０ｍｍＨｇ)以上か否か判断（ステップＳ１３）し、所定以上の場合、音声または表示部６の表示形態を通常の表示形態とは異なる形態(例えば、点滅、異なる表示色での表示等)でアラームを発生（ステップＳ１４）させた後、動作を終了させる。
【００２４】
１対１に対応付けて記憶された第１の測定状態で得られた収縮期血圧(最高血圧)，拡張期血圧(最低血圧)，第２の測定状態で得られた収縮期血圧(最高血圧)，拡張期血圧(最低血圧)、１対１に対応付けて記憶された第１の測定状態で得られた収縮期血圧(最高血圧)と第２の測定状態で得られた収縮期血圧(最高血圧)との差は、メモリ１３ａに時系列に３ケ月程度記憶され、記憶呼出スイッチ１１ｂを押した後、所定秒(例えば１〜２秒程度)記憶呼出スイッチ１１ｂも兼ねるグラフスイッチ１１ｃを押すことで、トレンド表示できるようになっている。
【００２５】
なお、ステップＳ１で、機能スイッチであるモードスイッチ１１ａの押圧動作を行なわなかった場合には、通常の測定動作で血圧測定を行う。即ち、ステップＳ１５に移り、カフ帯加圧、カフ帯減圧（ステップＳ１６）、血圧値演算・記憶（ステップＳ１７）、血圧値表示（ステップＳ１８）し、一連の動作を終了させる。
【００２６】
機能スイッチであるモードスイッチ１１ａを設けずに、開始・終了スイッチ１１を長押し(例えば３秒程度)することで、左右の血圧測定モードになるようにし、再度長押し(例えば３秒程度)することで通常の測定動作で血圧測定を行うようにしてもよい。
【００２７】
上述の説明では、オシロメトリック式の手首血圧計について詳述したが、カフ帯を上腕に装着して血圧測定するオシロメトリック式の上腕式血圧計であってもよい。また、コロトコフ式の上腕式血圧計であってもよい。
【符号の説明】
【００２８】
１  血圧計、３  カフ帯、６  表示部、９  傾き角検出センサ、１０  圧力センサ
【図１】
2013215323.tif 000003
【図２】
2013215323.tif 000004
【図３】
2013215323.tif 000005
【図４】
2013215323.tif 000006
【図５】
2013215323.tif 000007